【事件の表示】
　特許第３１６７９８３号「予約可能な画像形成方法」の請求項１、２に係る特許に対する特許異議の申立てについて、次のとおり決定する。
【結　論】
　訂正を認める。
　特許第３１６７９８３号の請求項１に係る特許を取り消す。
【理　由】
１．手続の経緯
　特許第３１６７９８３号の請求項１、２に係る発明についての出願は、平成２年５月９日に出願した特願平２−１１９０３４号の一部を平成１１年５月７日に新たな特許出願としたものであって、平成１３年３月９日にその発明について特許の設定登録がされ、その後、その請求項１、２に係る特許について、異議申立人コニカ株式会社により特許異議の申立てがなされ、取消理由通知がなされ、その指定期間内である平成１４年４月２２日に訂正請求がなされたものである。
　
２．訂正の適否についての判断
（１）訂正の内容
　特許権者が求めている訂正の内容は、以下のとおりである。
ア．訂正事項ａ
　請求項１を削除し、請求項２を請求項１に繰り上げ、
「【請求項２】　画像形成処理を行うための画像形成方法において、
　上記画像形成処理のために新たな原稿の画像形成処理を実行できない時に、その新たな原稿の画像の読取りを可能にするための指示操作に基づき、予約モードを設定し、
　上記予約モードが設定された状態で、上記新たな原稿にかかる画像形成処理の条件入力、および入力された条件を記憶手段に記憶させ、
　上記入力された条件の記憶後に上記新たな原稿の画像の読取りの開始を指示するための指示操作を受け、上記新たな原稿の画像を読取り、該読取った画像データを上記入力条件と共に記憶手段に記憶させ、
　上記新たな原稿の画像形成処理を実行できるようになった時に、上記記憶手段に記憶された画像データ及び入力条件にて画像形成処理を実行するようにしたことを特徴とする予約可能な画像形成方法。」を
「【請求項１】　画像形成処理を行うための画像形成方法において、
　上記画像形成処理のために新たな原稿の画像形成処理を実行できない時に、その新たな原稿の画像の読取りを可能にするための指示操作に基づき、予約モードを設定し、
　上記予約モードが設定された状態で、上記新たな原稿にかかる画像形成処理の条件入力、および入力された条件を記憶手段に記憶させ、
　上記入力された条件の記憶後に上記新たな原稿の画像の読取りの開始を指示するための
キーによる
がなされ、これに基づき
を開始し
　上記新たな原稿の画像形成処理を実行できるようになった時に、上記記憶手段に記憶された画像データ及び入力条件にて画像形成処理を実行するようにしたことを特徴とする予約可能な画像形成方法。」
と訂正する。
イ．訂正事項ｂ
　特許請求の範囲の訂正に伴い、発明の詳細な説明との整合性を図るため、段落【０００７】及び【０００８】を削除する。
ウ．訂正事項ｃ
　段落【００１０】について、
「【００１０】また上述した目的を達成するための本発明による予約可能な画像形成方法は、画像形成処理を行うための画像形成方法において、上記画像形成処理のために新たな原稿の画像形成処理を実行できない時に、その新たな原稿の画像の読取りを可能にするための指示操作に基づき、予約モードを設定し、上記予約モードが設定された状態で、上記新たな原稿にかかる画像形成処理の条件入力、および入力された条件を記憶手段に記憶させ、上記入力された条件の記憶後に上記新たな原稿の画像の読取りの開始を指示するための指示操作を受け、上記新たな原稿の画像を読取り、該読取った画像データを上記入力条件と共に記憶手段に記憶させ、上記新たな原稿の画像形成処理を実行できるようになった時に、上記記憶手段に記憶された画像データ及び入力条件にて画像形成処理を実行するようにしたことを特徴とする。このように、新たな原稿による画像形成処理を実行できないときに、所定の指示操作を行うことで予約モードを設定し、その画像形成処理のための条件入力を行い、これを記憶させた後、新たな原稿の画像の読取りを開始させる指示操作を行うことで、該原稿の読取り走査が開始され、その読取り画像データが、画像形成のための入力条件と共に記憶される。そのため、予約のための指示を行い新たな原稿のセット後に画像の読取り開始を行えるため、誤走査するようなこともなく、確実に予約のための原稿の画像形成処理を実行できる。」を
「【００１０】
【課題を解決するための手段】
　
上述した
キーによる
がなされ、これに基づき
を開始し
と訂正する。
　
（２）訂正の目的の適否、新規事項の有無、及び特許請求の範囲の拡張・変更の存否
ア．上記訂正事項ａに関連する記載として、願書に添付した明細書（以下、「特許明細書」という。）の発明の詳細な説明の段落【００２１】に「こののち、予約モード設定キー１０が再び押下されると原稿台１上の原稿２の画像が読み取られ、」との記載、段落【００２３】に「コピー条件の受け付け（ｎ１３）、再度の予約モード設定キー１０の操作の確認（ｎ１４）を行うことで、原稿走査（読み取り）が行われ（ｎ１５）」との記載が認められる。
　そうすると、上記訂正事項ａは、請求項１の削除は、特許請求の範囲の減縮を目的とした明細書の訂正に該当し、新規事項の追加に該当せず、また、請求項２の訂正も、請求項２に記載された「指示動作」と「原稿の画像を読取り」時期を限定したものであって、新規事項の追加に該当せず、また、実質上特許請求の範囲を拡張し、又は変更するものでもない。
イ．また、上記訂正事項ｂ、ｃは、訂正事項ａでの特許請求の範囲の訂正に伴い、付随的に生じる記載の不備を解消するものであって、明りょうでない記載の釈明を目的とする明細書の訂正に該当するものであって、新規事項の追加に該当せず、実質上特許請求の範囲を拡張し、又は変更するものでもない。
　　
（３）むすび
　以上のとおりであるから、上記訂正は特許法第１２０条の４第２項及び同条第３項において準用する第１２６条第２、３項の規定に適合するので、当該訂正を認める。
　
３．特許異議の申立てについて
（１）申立の理由の概要
　特許異議申立人コニカ株式会社は、第３１６７９８３号の請求項１、２に係る発明の特許に対して、証拠として、甲第１号証（特開平１−２５８５５０号公報）、甲第２号証（特開平１−２６１９６６号公報）、甲第３号証（異議２００１−７０５４８号の平成１３年７月９日付けの訂正請求書）を提出し、本件請求項１、２に係る発明の特許は特許法第２９条第１項第３号の規定に違反してなされたものであり、特許法第２９条第２項の規定に違反してなされたものであり、さらに、甲第３号証に記載された発明と同一であるから特許法第３９条第１項の規定に違反してなされたものであるから、本件発明についての特許を取り消すべき旨主張している。
　　
（２）本件発明
　特許第３０７８２９９号の請求項１、２に係る発明は、平成１４年４月２２日付けの訂正明細書の特許請求の範囲の請求項１に記載された次の事項により特定されるとおりのものである。
「【請求項１】　画像形成処理を行うための画像形成方法において、
　上記画像形成処理のために新たな原稿の画像形成処理を実行できない時に、その新たな原稿の画像の読取りを可能にするための指示操作に基づき、予約モードを設定し、
　上記予約モードが設定された状態で、上記新たな原稿にかかる画像形成処理の条件入力、および入力された条件を記憶手段に記憶させ、
　上記入力された条件の記憶後に上記新たな原稿の画像の読取りの開始を指示するためのキーによる指示操作がなされ、これに基づき上記新たな原稿の画像を読取りを開始し、該読取った画像データを上記入力条件と共に記憶手段に記憶させ、
　上記新たな原稿の画像形成処理を実行できるようになった時に、上記記憶手段に記憶された画像データ及び入力条件にて画像形成処理を実行するようにしたことを特徴とする予約可能な画像形成方法。」
　　
（２）刊行物に記載された発明
　当審が平成１４年２月６日付けで通知した取消理由で引用した刊行物は、刊行物１（特開平１−２５８５５０号公報）、刊行物２（特開平１−２６１９６６号公報）、刊行物３（特開平４−１４９４７号公報）、出願１（特許３０７８２９９号に係る出願）である。
（ア）刊行物１（特開平１−２５８５５０号公報）
　（ａ）「原稿を光電的に読み取る画像読取手段と、読み取った画像情報を記憶する画像情報記憶手段と、記憶された画像情報を複写する複写手段と、上記画像読取手段、画像情報記憶手段、複写手段を制御する制御手段と、上記制御手段に指令を与える操作手段と、上記制御手段、操作手段の情報を表示する表示手段を有し、先行原稿に対応する上記複写手段の作動中に読み取るべき後続原稿に対応する所要の操作を上記操作手段に入力し、上記操作手段への入力に対応した制御手段の制御により、後続原稿を読み取り、記憶手段に記憶し、先行原稿に対応する複写手段の作動終了後、後続原稿に対応する複写手段の作動を開始するよう制御されるデジタル画像形成装置において」（特許請求の範囲）
　（ｂ）「複数の記憶領域を有し、違う原稿に対する書き込みと読み取りを同時に行う事が出来るデジタル複写機は広く知られている。この場合の操作手順としては、まず先行原稿に対応する、操作手段への操作入力（複写条件設定）を行い、これを確認する意味で、表示手段に表示する。尚、この場合の表示は、セット枚数、コピー枚数、複写サイズ、濃度等の一般の複写機でも行っている表示である。次に先行原稿の読み取りが終了し、書き込みが開始されたら、後読原稿の複写条件を操作手段により設定する。そしてこれも表示手段に表示する。」（第１頁下右欄第１９行目〜第２頁上左欄第１１行目）
　（ｃ）「本発明に係る画像形成装置は、第１図に示すように原稿を読み取る読取り手段としての読取装置１０、読み取られた原稿情報を記憶する記憶手段としての記憶装置１１、記憶された原稿情報を紙に書き込むための一連のプロセスを実行するする書込手段としての書込装置１２と、これら読取装置１０、記憶装置１１、書込装置１２等を制御する制御手段たる制御装置１３、制御装置１３にキー入力を行う操作手段としての操作装置１４等で構成されている。尚、操作装置１４には各種情報を表示するデイスプレイが含まれる。」（第２頁下左欄２０行〜同頁下右欄１０行）
　（ｄ）「読取装置１０の具体的構成は、第３図、第４図に示されている。これらの図において、オペレーターが原稿１５をローラ１６に挿入すると、この原稿はローラの回転に応じてコンタクトガラス１８と反射板１９との間を副走査方向に搬送される。
　そして、この搬送中に蛍光灯２０からの光により主走査方向に原稿面が走査される。反射光はレンズ２１を介して撮像素子ＣＣＤ２２に結像され原稿情報が読み取られる。」（３頁上左欄２〜１０行）
　（ｅ）「違う原稿に対する書き込みと読み取りを同時に行う事をクイツクスタートと呼ぶこととする。例えば、メモリー１を書込装置１２より用紙に書き込んでいる時に、メモリー２〜４は読取装置１０によって原稿を読取る事ができる。読み取られた画像情報は蓄えられ、現在の書き込が終了した後、書き込みが開始される。」（３頁下右欄８〜１４行）
　（ｆ）「第８図に操作部表示データ及びクイツクスタート表示データのＲＡＭマップを示す。ここで操作部表示データは現在操作部に表示されたいるデータであり、キー押下によりデータが書き換えられ、表示内容が変化する。操作部表示データは原稿が読み取られた時にクイツクスタート表示バッフアの内、原稿カウンタで示される領域に転送する。原稿カウンタは原稿が挿入された時にインクリメントする。」（３頁下右欄１６行〜４頁４行）
と記載されている。
　
　これより、刊行物１には次のことが記載されている。
「原稿を光電的に読み取る画像読取手段と、
　読み取った画像情報を記憶する画像情報記憶手段と、
　記憶された画像情報を複写する複写手段と、
　上記画像読取手段、画像情報記憶手段、複写手段を制御する制御手段と、
　上記制御手段に指令を与える操作手段と、
　上記制御手段、操作手段の情報を表示する表示手段と
を有し、
　先行原稿に対応する上記複写手段の作動中に読み取るべき後続原稿に対応する所要の操作をキー押下により後続原稿の複写条件を上記操作手段に入力し、
　上記操作手段への入力に対応した制御手段の制御により、後続原稿を読み取り、記憶手段に記憶し、
　先行原稿に対応する複写手段の作動終了後、後続原稿に対応する複写手段の作動を開始するよう制御されるデジタル画像形成装置。」
　
（４）対比・判断
（ア）請求項１に係る発明について
　請求項１に係る発明と刊行物１に記載の発明とを対比すると、刊行物１の「後続原稿」は、請求項１に係る発明の「新たな原稿」に相当し、
　刊行物１の「先行原稿に対応する複写手段の作動中」とは、請求項１に係る発明の「新たな原稿の画像形成処理を実行できない時」に相当し、
　画像の読取を可能にするための操作は、読み取るべき後続原稿を読み取ることができるようにする操作する点では変わらないから、刊行物１の「読み取るべき後続原稿に対応する所要の操作」は、請求項１に係る発明の「新たな原稿の画像の読取りを可能にするための指示操作」に相当し、
刊行物１の「複写条件」は、請求項１に係る発明の「入力条件」に相当し、
また、刊行物１に記載された発明は装置として表現されているが、これを方法として表現し得ることは自明であって、単なる表現上の問題にすぎないから、
両者は、
「画像形成処理を行うための画像形成方法において、
　上記画像形成処理のために新たな原稿の画像形成処理を実行できない時に、その新たな原稿の画像の読取りを可能にするための指示操作に基づき、
　上記新たな原稿にかかる画像形成処理の条件を入力し、および入力された条件を記憶手段に記憶させ、
　上記新たな原稿の画像の読取りの開始し、該読取った画像データを記憶手段に記憶させ、
　上記新たな原稿の画像形成処理を実行できるようになった時に、上記記憶手段に記憶された画像データ及び入力条件にて画像形成処理を実行するようにしたことを特徴とする予約可能な画像形成方法。」
で一致し、次の点で相違する。
（相違点）
（相違点１）
　本件請求項１に係る発明は、新たな原稿の画像の読取りを可能にするための指示操作に基づき、予約モードを設定し、上記予約モードが設定された状態で、上記新たな原稿にかかる画像形成処理の条件入力、および入力された条件を記憶手段に記憶させるのに対して、刊行物１は予約モードを設定しておらず、刊行物１の第９図に示されるように、クイツクスタートの動作は、キー押下により開始され、操作部表示データは、キー押下によりデータが書き換えられ、操作部表示データは原稿が読み取られた時にクイツクスタート表示バッフアの内の領域に転送される点。
（相違点２）
　新たな原稿の画像を読取りが、本件請求項１に係る発明では、上記入力された条件の記憶後に上記新たな原稿の画像の読取りの開始を指示するためのキーによる指示操作がなされ、これに基づき読取りを開始しするのに対して、刊行物１では、読取の開始が、読取装置に原稿が挿入されたときであるのと、複写条件は読取開始時にバッファに記憶されている点。
（相違点３）
　記憶手段に記憶するのが、本件請求項１に係る発明では、読取った画像データと入力条件と共に記憶手段に記憶させるのに対して、刊行物１では、後続原稿の画像情報は記憶手段に、複写条件はクイツクスタート表示バッファに記憶させる点。
　
上記相違点を検討すると。
（相違点１）について
　一般的に、予約制御を行うときに、予約釦を押すことにより、予約モードに移行するようにすることは通常に行われていることであるから、刊行物１のものにおいても、後続原稿のための複写条件の入力は、キー押下により開始されるのであるから、このような動作を、予約モードにおいて行うようにすることは、当業者が容易に推考することができることであり、また、刊行物１でもキー押下により後続原稿に対する複写条件を入力しており、この複写条件を記憶手段の一種であるバッフアに記憶させている。
（相違点２）について
　原稿の読取をキーによる指示操作で行うことは、通常に行われていることであることを考えれば、刊行物１における、原稿の読取装置への挿入により読取を開始することを、原稿を読取装置においた後に、キーによる操作により、原稿の読取を開始するようにすることは、当業者が何の困難性もなく考えることと認められる。
　また、条件の記憶後に原稿の読取を開始するか、条件の記憶と一緒に原稿の読取を開始するかは当業者が適宜設定できることである。
（相違点３）について
　刊行物１のものも、複写条件も、後続原稿の画像情報も、記憶手段に記憶しており、この記憶手段をどのようなものにするかは当業者が適宜選択できることである。
　
（５）むすび
　以上のとおりであるから、本件請求項１に係る発明は、上記刊行物１に基づいて当業者が容易に発明をすることができたものであるから、本件請求項１に係る発明についての特許は、特許法第２９条第２項の規定により特許をうけることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月２９日（２００２．５．２９）
【訂正の要旨】
訂正の要旨
ア．訂正事項ａ
　請求項１を削除し、請求項２を請求項１に繰り上げ、
「【請求項２】　画像形成処理を行うための画像形成方法において、
　上記画像形成処理のために新たな原稿の画像形成処理を実行できない時に、その新たな原稿の画像の読取りを可能にするための指示操作に基づき、予約モードを設定し、
　上記予約モードが設定された状態で、上記新たな原稿にかかる画像形成処理の条件入力、および入力された条件を記憶手段に記憶させ、
　上記入力された条件の記憶後に上記新たな原稿の画像の読取りの開始を指示するための指示操作を受け、上記新たな原稿の画像を読取り、該読取った画像データを上記入力条件と共に記憶手段に記憶させ、
　上記新たな原稿の画像形成処理を実行できるようになった時に、上記記憶手段に記憶された画像データ及び入力条件にて画像形成処理を実行するようにしたことを特徴とする予約可能な画像形成方法。」を
「【請求項１】　画像形成処理を行うための画像形成方法において、
　上記画像形成処理のために新たな原稿の画像形成処理を実行できない時に、その新たな原稿の画像の読取りを可能にするための指示操作に基づき、予約モードを設定し、
　上記予約モードが設定された状態で、上記新たな原稿にかかる画像形成処理の条件入力、および入力された条件を記憶手段に記憶させ、
　上記入力された条件の記憶後に上記新たな原稿の画像の読取りの開始を指示するための
キーによる
がなされ、これに基づき
を開始し
　上記新たな原稿の画像形成処理を実行できるようになった時に、上記記憶手段に記憶された画像データ及び入力条件にて画像形成処理を実行するようにしたことを特徴とする予約可能な画像形成方法。」
と訂正する。
イ．訂正事項ｂ
　特許請求の範囲の訂正に伴い、発明の詳細な説明との整合性を図るため、段落【０００７】及び【０００８】を削除する。
ウ．訂正事項ｃ
　段落【００１０】について、
「【００１０】また上述した目的を達成するための本発明による予約可能な画像形成方法は、画像形成処理を行うための画像形成方法において、上記画像形成処理のために新たな原稿の画像形成処理を実行できない時に、その新たな原稿の画像の読取りを可能にするための指示操作に基づき、予約モードを設定し、上記予約モードが設定された状態で、上記新たな原稿にかかる画像形成処理の条件入力、および入力された条件を記憶手段に記憶させ、上記入力された条件の記憶後に上記新たな原稿の画像の読取りの開始を指示するための指示操作を受け、上記新たな原稿の画像を読取り、該読取った画像データを上記入力条件と共に記憶手段に記憶させ、上記新たな原稿の画像形成処理を実行できるようになった時に、上記記憶手段に記憶された画像データ及び入力条件にて画像形成処理を実行するようにしたことを特徴とする。このように、新たな原稿による画像形成処理を実行できないときに、所定の指示操作を行うことで予約モードを設定し、その画像形成処理のための条件入力を行い、これを記憶させた後、新たな原稿の画像の読取りを開始させる指示操作を行うことで、該原稿の読取り走査が開始され、その読取り画像データが、画像形成のための入力条件と共に記憶される。そのため、予約のための指示を行い新たな原稿のセット後に画像の読取り開始を行えるため、誤走査するようなこともなく、確実に予約のための原稿の画像形成処理を実行できる。」を
「【００１０】
　【課題を解決するための手段】
　
上述した
キーによる
がなされ、これに基づき
を開始し
と訂正する。
（５４）【発明の名称】
予約可能な画像形成方法
（５７）【特許請求の範囲】
　【請求項１】　画像形成処理を行うための画像形成方法において、
　上記画像形成処理のために新たな原稿の画像形成処理を実行できない時に、その新たな原稿の画像の読取りを可能にするための指示操作に基づき、予約モードを設定し、
　上記予約モードが設定された状態で、上記新たな原稿にかかる画像形成処理の条件入力、および入力された条件を記憶手段に記憶させ、
　上記入力された条件の記憶後に上記新たな原稿の画像の読取りの開始を指示するための
キーによる
がなされ、これに基づき
を開始し
　上記新たな原稿の画像形成処理を実行できるようになった時に、上記記憶手段に記憶された画像データ及び入力条件にて画像形成処理を実行するようにしたことを特徴とする予約可能な画像形成方法。
【発明の詳細な説明】
　【０００１】
　【発明の属する技術分野】
　本発明は、電源投入時のウォームアップ時や大量のコピー中に、新たな原稿による画像形成処理を予約できるようにした画像形成方法に関する。
　【０００２】
　【従来の技術】
　一般に普及している複写機は、光導電性を有する感光体を帯電したのち造像露光し、これによって形成される静電潜像にトナーを付着させ、さらにこのトナー像を用紙に転写して定着させるものである。
　【０００３】
　【発明が解決しようとする課題】
　上述したような複写機では電源投入後に定着器が定着可能温度に昇温するまでにある程度時間（ウォームアップ時間）が必要である。この間には、コピー処理を行うことができず、ウォームアップ終了まで待たねばらなない。
　【０００４】
　また大量のコピーには時間が掛かり、他の使用者が新たな原稿をコピーするには前者のコピー終了を待つか、大量コピーの途中で割込機能を動作させ、前者のコピー処理時に後者のコピー処理を割り込ませるしかない。しかし後者のコピー量が多い場合には割り込みが難しく、前者のコピー終了まで待たなければならない。
　【０００５】
　従来の場合、ウォームアップや大量コピー中には、それらが終了してコピー可能な状態になってから新たな原稿をセットし、コピー処理を行わなければならず、それらの終了を常に心掛けていなければならないし、また複写機まで何度も足を運ばなければならない不都合があり、ユーザの負担が大きくなっている。
　【０００６】
　本発明の目的は、上述したように新たな原稿の画像形成処理が行えない場合においても、その新たな原稿の画像形成処理を効率よく行えるようにし、ユーザの負担を軽減できる予約可能な画像形成方法を提供することにある。
　【０００７】　（削除）
　【０００８】
　【０００９】　（削除）
　【００１０】
　
【課題を解決するための手段】
　
上述した
キーによる
がなされ、これに基づき
を開始し
　【００１１】
　【本発明の実施の形態】
　本発明の実施形態について以下に図面を参照に詳細に説明する。図１及び図２は本発明における画像形成処理のためのフローチャートであり、図３は本発明にかかる画像形成装置の一例を示す複写機の正面図である。
　【００１２】
　図３において、複写機本体の上面には透明な硬質ガラス体からなる原稿台１が備えられ、コピーすべき原稿２が載置される。原稿台１の下方にはＬＥＤアレイ、ＣＣＤアレイを含む走査部３が図中矢印Ａ，Ｂ方向に移動可能に設けられている。原稿台１上に載置された原稿２は、上記走査部３によって読み取られ、図示しないＰＷＢに設けられたメモリに記憶される。
　【００１３】
　走査部３の下方には、レーザ発振器４が備えられている。レーザ発振器４は、上記メモリに記憶された画像データに基づいてレーザ光を照射する。このレーザ光は、ミラー５ａ，５ｂ，５ｃを介して感光体６に導かれる。感光体６は、このレーザ光照射の前に予め帯電されており、レーザ光によりその帯電電荷がキャンセルされて静電潜像を得る。静電潜像には、現像器７によって、トナーが付着され、このトナー像が用紙に転写されて画像が得られる。
　【００１４】
　図４は同複写機の画像読み取り、書き込み部の回路構成を示すブロック図である。
　【００１５】
　ＣＣＤアレイ３１は、Ｖドライバ３２、タイミングＩＣ３３によるタイミング制御に基づいて、原稿２の画像データを読み取る。読み取られた画像データは、ＣＤＳ，Ｓ／ＨＩＣ３４により、一旦制御基盤ＰＷＢのＲＡＭ３５に書き込まれる。そして、印字時には、その画像データが読み出され、先に説明したレーザ発振器４に送られる。
　【００１６】
　上記ＲＡＭ３５には、通常のコピー処理時に用いられるエリアと、予約モードの時に予約コピーの条件や画像データを記憶するエリアと、が備えられている。
　【００１７】
　図５は、複写機本体上に設けられた操作部のパネルを示す平面図である。この図５に示す操作部には、コピー枚数、画像濃度、倍率等を入力するテンキー、各種入力キー、通常のコピー開始を命令するプリントキー９、予約モードの設定キー１０等が設けられている。
　【００１８】
　以上のように構成される複写機において、以下に本発明によるウォームアップ時や大量コピー中での新たな画像形成処理を行うための予約処理について説明する。
　【００１９】
　図１及び図２は、予約処理時の処理手順を示したフローチャートであり、図１はウォームアップ時の予約処理による画像形成処理を、図２は大量コピー中の予約処理及びその画像形成処理のための制御手順を示している。
　【００２０】
　まず図１を参照してウォームアップ中の予約処理の手順を説明する。電源投入に応じたウォームアップ中に予約モード設定キー１０がオンされると（ｎ１）、予約コピーの条件を受け付けが可能になる。すなわちテンキー等によって、入力された倍率、濃度等を受け付けてＲＡＭ３５の予約モード時の記憶エリアＭ１に記憶する（ｎ２）。
　【００２１】
　こののち、予約モード設定キー１０が再び押下されると原稿台１上の原稿２の画像が読み取られ、ＲＡＭ３５の記憶エリアＭ１に記憶される（ｎ３→ｎ４）。そしてウォームアップが終了したとき、前記記憶エリアＭ１に記憶されている画像データが読み出され、レーザ発振器によって造像光に変換されて感光体６を照射し、画像を形成される（ｎ５→ｎ６）。
　【００２２】
　このようにして、ウォームアップ時に予めコピー処理を予約することができ、ウォームアップ完了後に自動的に予約された既に読み込まれた画像データによる画像形成処理（コピー）が実行される。
　【００２３】
　次に大量コピー中の予約処理手順を図２を用いて説明する。大量コピーを実行されている時に、予約モード設定キー１０がオンされると（ｎ１１）、現在行っているコピー処理を一旦中断（ｎ１２）し、コピー条件の受け付け（ｎ１３）、再度の予約モード設定キー１０の操作の確認（ｎ１４）を行うことで、原稿走査（読み取り）が行われ（ｎ１５）、前者のコピー処理を再開（ｎ１６）する。
　【００２４】
　そして、前者のコピー処理が終了（ｎ１７）したのち、先の通り予約された原稿によるコピー処理を実行（ｎ１８）する。
　【００２５】
　この処置においても同様に、大量コピーの最中に予め新たな原稿による画像形成処理のための読み取りの予約を行え、先の画像形成処理が完了した時点で、自動的に既に読み取られた画像データのコピー処理を実行することができる。
　【００２６】
　【発明の効果】
　以上説明したように本発明の画像形成方法によれば、新たな原稿による画像形成処理が実行できない状態で、事前に原稿の読み取りを行い記憶する予約処理を実行でき、新たな画像形成処理が可能となった時に、先に記憶されている新たな原稿による画像データを読み出し画像形成処理を自動的に実行できる。
　【００２７】
　そのためユーザの手間を大幅に軽減でき、画像形成装置の効率的な利用を可能にできる。
【図面の簡単な説明】
　【図１】
　本発明におけるウォームアップ時の予約モードによる処理手順を説明するためのフローチャートである。
　【図２】
　本発明における画像形成処理中での予約モードによる処理手順を説明するためのフローチャートである。
　【図３】
　本発明にかかる画像形成装置の一例とする複写機の構造を示す正面該略図である。
　【図４】
　図３における複写機の画像読取り、書き込み部の制御回路構成を示すブロック図である。
　【図５】
　図３における複写機の操作部を示す平面図である。
　【符号の説明】
　　１　原稿台
　　２　原稿
　　３　走査部（読取手段）
　　４　レーザ照射部
　　６　感光体
　　７　現像器
　　８　転写器
　１０　予約モード設定キー（指示手段）
　３１　ＣＣＤアレイ（読取部）
　３５　ＲＡＭ（記憶手段）